(57)【要約】  量子計算装置及び方法は負の屈折率レンズを使用してもつれた状態のキュビットアレイを使用する。キュビットは負の屈折率レンズの対向面により分離されるかそこに配置されている１対の中性原子を含んでいる。中性原子及び負の屈折率のレンズは原子のもつれ状態を起こすように選択的に付勢および／または活性化される。量子計算装置は寸法及び波長に関して動作可能でありスケール可能である優れたアーキテクチャを有する。【選択図】図３
2010522939.tif 000002
【特許請求の範囲】
【請求項１】
１対の原子（52）と、
前記原子の対（52）間に配置された負の屈折率のレンズ（54）とを具備している量子計算システム（10）で使用するためのキュビット（50）。
【請求項２】
負の屈折率のレンズは原子の対の状態をもつれさせるように構成されている請求項１記載のキュビット。
【請求項３】
負の屈折率のレンズは原子の対を電磁的に結合するように構成されている請求項１記載のキュビット。
【請求項４】
負の屈折率のレンズは原子の対の間の光路の長さがゼロであるように原子の対の間に配置されている請求項１乃至３のいずれか１項記載のキュビット。
【請求項５】
原子の対はセシウム原子からなる請求項１乃至４のいずれか１項記載のキュビット。
【請求項６】
原子の対は中性原子からなる請求項１乃至４のいずれか１項記載のキュビット。
【請求項７】
負の屈折率のレンズは屈折率ｎ＝−１を有する材料から構成されている請求項１乃至６のいずれか１項記載のキュビット。
【請求項８】
さらに、原子の対の第１の原子に隣接して配置された第１の負の屈折率のミラーと、
原子の対の第２の原子に隣接して配置された第２の負の屈折率のミラーとを具備している請求項１乃至７のいずれか１項記載のキュビット。
【請求項９】
さらに、原子の対の一つに隣接して配置されている第２の負の屈折率のミラーと、
第２の負の屈折率のレンズに隣接して配置されている第３の原子とを具備している請求項１乃至７のいずれか１項記載のキュビット。
【請求項１０】
請求項１乃至９のいずれか１項記載の複数のキュビットを具備しているキュビットアレイ。
【請求項１１】
複数のキュビットは２次元のアーキテクチャで配置されている請求項１０記載のキュビットアレイ。
【請求項１２】
複数のキュビットは３次元のアーキテクチャで配置されている請求項１０記載のキュビットアレイ。
【請求項１３】
請求項１乃至９のいずれか１項記載の複数のキュビットと、
負の屈折率のレンズに接続されて動作し、負の屈折率状態と正の屈折率状態との間で負の屈折率のレンズを切り換えるように動作させる制御回路と、
原子の原子スピン状態を決定するように構成されている原子状態読取り回路とを具備している量子計算システム。
【請求項１４】
さらに、原子を励起するように構成される励起ソースを具備している請求項１３記載の量子計算システム。
【請求項１５】
負の屈折率のレンズの対向面上に１対の中性原子を配置し、
前記原子を選択的に励起し、
負の屈折率のレンズを選択的に付勢及び減勢し、その選択的な付勢及び減勢は原子の状態のもつれを促進し、
少なくとも１つの中性原子の状態を決定するために原子に問合せるステップを含んでいる量子計算方法。
【請求項１６】
複数の中性原子を含み、各中性原子の対は負の屈折率のレンズにより分離され、中性原子の各対と負の屈折率のレンズは量子ビットを規定するように配置され、
さらに１以上の励起ソースに結合されて動作する制御回路を具備し、この制御回路および１以上の励起ソースは量子ビットをもつれさせるように協動する量子計算装置。
【発明の詳細な説明】
【技術分野】
【０００１】
本発明は量子計算の分野に関し、特に負の屈折率レンズを使用してもつれた原子状態のキュビット（qubit）アレイを含む量子計算装置及び方法に関する。さらに３次元のアーキテクチャが提供される。
【背景技術】
【０００２】
量子情報の処理は量子機械効果が計算及び通信のようなアプリケーションでの情報処理に使用される種々の分野をカバーしている。
【０００３】
量子計算は量子ビットまたは「キュビット」の形態のデータの操作を含んでいる。情報のビットが２つの可能な論理状態、即ち“１”または“０”の一方のみを表すために使用される古典的な計算と対照的に、量子計算ではキュビットが量子状態の重ね合わせとして同時に両者の論理状態を表すことができる。この特性は強力な計算的並行処理を生じる。例えば大きい複合整数を効率的に因数分解するためにこの並行処理を利用するアルゴリズムが開発されている。
【０００４】
量子計算の概念及び利点が１９９０年代に紹介されて以来、キュビットに対して多数の概念が提案され試行されてきたが、成功は限られている。提案された概念は格子周辺で擬似粒子を動かすことに基づいたシステムと、量子ウェルを有する半導体ベースのシステムと、光共振器ベースのシステムを含んでいる。量子計算の開発によって、容易にもつれるが個別的にアドレス可能であり初期化可能である物理的キュビットが必要になる。
【０００５】
通常認識されている問題は量子計算および敏感な情報処理を含む任意のシステムが動作において静かな電磁環境を必要とすることである。システムが環境と相互動作するならば、コヒーレンスを失う可能性があり、量子平行処理は損なわれる可能性がある。
【発明の概要】
【０００６】
本発明によれば、量子計算装置は外部ソースとの最小の相互動作により制御されもつれることができるキュビットを含んでいる。量子計算装置は少なくとも１対の中性原子と、その中性原子の対間に配置された負の屈折率のレンズを含むキュビットを含んでいる。負の屈折率のメタマテリアルと完全なレンズは中性原子でもつれを与えるために使用される。
【０００７】
開示された技術の１特徴は量子計算システムで使用するためのキュビットに関する。キュビットは１対の原子と、その原子対間に配置された負の屈折率のレンズを含んでいる。
【０００８】
別の特徴によれば、負の屈折率のレンズは原子の対の状態をもつれるように構成されている。
【０００９】
別の特徴によれば、キュビットは原子の対の１つに隣接して配置された第２の負の屈折率のレンズと、第２の負の屈折率のレンズに隣接して配置される第３の原子とを含んでいる。
【００１０】
別の特徴によれば、キュビットアレイは複数のキュビットを含んでいる。
【００１１】
別の特徴によれば、複数のキュビットは２次元のアーキテクチャ中に配置されている。
【００１２】
別の特徴によれば、複数のキュビットは３次元のアーキテクチャで構成されている。
【００１３】
開示された技術の別の特徴は、負の屈折率のレンズの対向面上に中性原子の対を配置し、原子を選択的に励起し、負の屈折率のレンズを選択的に付勢及び減勢し、原子の状態のもつれを促進するように選択的に付勢及び減勢し、少なくとも１つの中性原子の状態を決定するために原子に問合せるステップを含んだ量子計算方法に関する。
【００１４】
開示された技術の別の特徴は、複数の中性原子を含み、各中性原子の対は負の屈折率のレンズにより分離され、中性原子の各対と負の屈折率のレンズは量子ビットを規定するために構成され、さらに１以上の励起ソースに動作的に結合されている制御回路を含む量子計算装置に関し、制御回路および１以上の励起ソースは量子ビットをもつれさせるように協動する。
【００１５】
開示された技術の別の特徴は、素子のアレイを含んでいる量子計算装置に関し、アレイの各素子は第１の中性原子と、第２の中性原子と、第１及び第２の中性原子間に配置されている負の屈折率のレンズとを含んでいる。第１及び第２の中性原子は量子ビットの第１及び第２の基本状態を規定するように構成され、素子はアレイの素子の量子ビットのもつれを生じるように構成されている。
【００１６】
前述の説明及び関連する結末を実現するため、本発明は以下十分に説明され特に請求項で指摘されている特徴を含んでいる。詳細に説明されている以下の説明及び添付図面は本発明の実施形態を示している。しかしながら、これらの実施形態は本発明の原理が使用されることができる種々の方法の幾つかを示している。本発明のその他の目的、利点、優れた特徴は図面を伴って考慮するとき本発明の以下の詳細な説明から明白になるであろう。
【００１７】
１実施形態に関して説明および／または示された特徴は１以上の実施形態および／または他の実施形態の特徴と組み合わせて又はその代わりに同じ方法又は類似の方法で使用されることができる。
【図面の簡単な説明】
【００１８】
【図１】開示された技術の１実施形態による量子計算装置の機能ブロック図である。
【図２】開示された技術の１実施形態による量子処理装置の機能ブロック図である。
【図３】開示された技術の１つの例示的な実施形態によるキュビットの図である。
【図４】開示された技術の別の例示的な実施形態によるキュビットの図である。
【図５】開示された技術の例示的な実施形態によるキュビットアレイの図である。
【図６】開示された技術の例示的な実施形態によるキュビットアレイの図である。
【図７】例示的なキュビットアレイの動作を示す図である。
【図８】例示的なキュビットアレイの動作を示す図である。
【図９】開示された技術の１特徴による量子計算方法を表すフローチャート又は機能図である。
【発明を実施するための形態】
【００１９】
以下の詳細な説明では、類似のコンポーネントはこれらが本発明の異なる実施形態で示されているか否かにかかわりなく同じ参照符合が与えられている。本発明を明白で正確な方法で示すため、図面は必ずしも実寸大ではなく、ある特徴はやや概略形態で示されることもある。
【００２０】
開示された技術の１特徴は外部ソースとの最小の相互動作により制御されもつれることができる量子ビット（「キュビット」）を有する量子計算装置を含んでいる。以下さらに詳細に説明するように、量子計算装置は負の屈折率レンズを構成するために負の屈折率の材料（“ＮＩＭ”）を使用する。負の屈折率のレンズはもつれを与えるために又はそうでなければ制御可能に中性原子キュビットを結合するために中性原子対間に配置される。
【００２１】
図１は開示された技術の特徴が実行されることができる適切な計算システム環境10（量子計算システム、量子計算装置又は量子コンピュータとも呼ばれる）の１例を示している。計算システム環境10は適切な計算環境の単なる１例であり、開示された技術の使用又は機能の技術的範囲に関する任意の限定を示すことを意図していない。計算環境10は例示的な動作環境10に示されている任意の１つのコンポーネントまたはコンポーネントの組合せに関する依存性または要求を有するとして解釈されるべきではない。
【００２２】
本発明の特徴は多数の他の通常目的又は特別な目的の計算システム環境又は構造と共に動作可能である。本発明の特徴と共に使用するのに適する可能性のあるこのような計算システム、環境および／または構造の例はパーソナルコンピュータ、サーバコンピュータ、ハンドヘルド又はラップトップ装置、マルチプロセッサシステム、マイクロプロセッサベースのシステム、セットトップボックス、プログラム可能な消費者電子装置、ネットワークＰＣ、ミニコンピュータ、メインフレームコンピュータ、任意の適切なシステムコンポーネントまたは装置を含む分散された計算環境等を含んでいるがこれらに限定されない。
【００２３】
図１を参照すると、本発明の特徴を実行する例示的なシステムはコンピュータ10の形態の汎用目的の計算装置を含んでいる。コンピュータのコンポーネントは処理装置、例えば量子処理装置12と、システムメモリ、例えば通常または一般的なシステムメモリ14および／または量子メモリ16と、単一（又は複数の）システムメモリを含む種々のシステムコンポーネントを処理装置12に結合するシステムバス18を含むことができるがそれらに限定されない。システムバス18はメモリバス又はメモリ制御装置、任意の種々のバスアーキテクチャを使用する周辺バス及びローカルバスを含む任意の幾つかのタイプのバス構造であってもよい。
【００２４】
示されている実施形態では、通常のメモリ14はコンピュータ10の機能の実行に使用されるソフトウェア及びデータを含むメモリ装置の全体的な階層を表すことができる。メモリは例えばＲＡＭ、又は他の揮発性の固体メモリおよび／または他の不揮発性の固体メモリ、ハードディスクドライブのような磁気記憶媒体、取出し可能な記憶媒体又は他の適切な記憶媒体を含むことができる。示されているようにメモリ14は駆動装置20、例えばＩ／Ｏ装置の駆動装置、アプリケーションプログラム22、オペレーティングシステム24、アプリケーションプログラムデータ26を記憶することができる。
【００２５】
さらに、ユーザ入力インターフェース30は種々のユーザ入力装置32、例えばマウス、キーボード、マイクロホン、ゲームパッド等をバス18を介して処理装置12へ結合することができる。さらに、モニタ34又は他の適切な表示装置のようなディスプレイはビデオインターフェースのようなインターフェースを介してシステムバス18に接続されることができる。モニタに加えて、コンピュータは出力周辺インターフェース38を通して接続されることができる他の周辺出力装置も含むことができる。
【００２６】
コンピュータ10は１以上の遠隔コンピュータ、例えばパーソナルコンピュータ、サーバ、ルータ、ネットワークＰＣ、ピア装置又は他の共通のネットワークノードに対する論理的な接続を使用してネットワーク環境で動作できる。
【００２７】
図２を参照して、本発明の特徴を量子処理装置12および／または量子計算動作で使用するための十分なもつれを与えるように構成されたキュビット又はキュビットアレイを含む量子メモリ16に関して説明する。示されているように、キュビットアレイ40は１以上の励起ソース44、例えばレーザソース又は電界又は磁界のソースと、１以上の原子状態読取装置46と協動するかそうでなければそれらを制御する適切な制御回路42に動作的に結合されることができる。以下さらに十分に説明するように、キュビットアレイ40、制御回路42、励起ソース44および原子状態読取装置46はもつれ、個別にアドレスされ、量子計算プロセスで使用するために設定又はリセットされることができる物理的キュビットを提供するように協動する。
【００２８】
図３を参照すると量子ビット（「キュビット」）50が示されている。１実施形態では、キュビット50は１対の原子52、例えば負の屈折率のレンズ54により分離されているか又はそのレンズの対向面に配置されている中性原子を含んでいる。１対の原子、例えば中性原子間に負の屈折率のレンズを設けることは、依然として個別的にアドレスされるが容易にもつれる物理的キュビットを提供すると考えられている。以下さらに十分に説明するように、キュビット（またはキュビットアレイ）は本発明の技術的範囲を逸脱せずに種々の異なる構造、幾何学形状、特性等のうちの１つを取ることができる。
【００２９】
好ましい実施形態では、負のレンズは負の屈折率の材料（“ＮＩＭ”）からなり、それによってＮＩＭ「完全なレンズ」として構成されている。適切な完全なレンズの１例と動作特性の説明はここでその全体が参考文献とされているJ. B. PendryとS. A. Ramakrishnaの“Near Field Lenses in Two Dimensions”、J. Phys. [Condensed Matter] 14 1-17 (2002)に見られる。図３に示されている実施形態では、負の屈折率のレンズは厚さｄを有するとして示され、原子52は距離２ｄ分離されているとして示されている。この構造では、原子間の光路の長さはゼロである。これは左原子（例えば原子Ａ）の波動関数、例えばスピンダウン｜０＞Ａが右原子（例えば原子Ｂ）波動関数、例えばスピンアップ｜１＞Ｂと組み合わせられて単一の積波動関数、例えば｜０＞Ａ｜１＞Ｂを生成することを意味し、これは両点（例えば点Ａと点Ｂ）で生じる２つの原子システムを示している。
【００３０】
さらに、負の屈折率のレンズの２つの焦点間の距離はｄ（１−ｎ）であり、ｎは負の屈折率のレンズの屈折率である。負の屈折率のレンズの厚さｄは負の屈折率のレンズを構成する負の屈折率の材料を含む種々の要素、例えば与えられた負の屈折率の材料に関連する屈折率、キュビットで使用される原子のタイプ等にしたがうことが認識されよう。
【００３１】
好ましい実施形態では、負の屈折率のレンズ52は適切な負の屈折率の材料、例えばメタマテリアルから構成される。メタマテリアルはこれが構成される材料から直接受け継ぐのではなくそれらの構造から（電磁）材料特性を得る材料又はオブジェクトを含むものと理解されることが認識されよう。メタマテリアルはしばしば自然に形成された物質ではみられない材料特性に関連される。
【００３２】
好ましい実施形態では、キュビット50は中性のセシウム（Ｃｓ）原子を含むかまたはそうでなければそれを使用する。セシウム原子の使用に関連される１利点はＣｓ原子が９．２ＧＨｚ（ギガヘルツ）光子に等価の転移エネルギにより分離される１対の状態を有することにより得られる。勿論、各キュビットは他の原子、例えば他の中性原子、アルカリ原子、エキゾチック原子等を含むかそうでなければ使用することができる。適切な原子の限定しない例は水素、ルビジウム、ポジトロニウムを含んでいる。
【００３３】
図４を参照すると、キュビット50の別の実施形態が示されている。この実施形態では、キュビットは負の屈折率のレンズ54の対を含み、これらは原子対52の間に配置されるか、原子対52、例えば中性原子を分離することができる。図３に関して説明したように、キュビット50は中性原子又は中性アルカリ原子、例えば中性セシウム原子のような種々の原子を含むかそうでなければ使用することができる。さらに前述したように、与えられた負の屈折率のレンズがｄの厚さを有するならば、「完全なレンズ」の場合、負の屈折率のレンズ54の対向面上の原子は距離２ｄだけ分離されることができる。
【００３４】
使用される特定のキュビット構造にかかわりなく、多数のキュビットはキュビットがもつれ、初期化されまたは変更されアドレスされる場合、キュビットアレイを構成するために配置され又はそうでなければ使用されることができる。図５は開示された技術の原理にしたがって構成された例示的なキュビットアレイ40を示している。例示的なキュビットアレイ40は各負の屈折率のレンズが原子対52、例えば中性原子を分離する複数の負の屈折率のレンズ54を含んでいる。示されている実施形態では、キュビットアレイは１対の負のミラー56、例えば負の屈折率の材料で構成されたミラーも含んでおり、それによってアレイの端部で「完全なミラー」を与える。アレイ40の端部に負の屈折率のミラー56を設けることにより、それぞれの端部原子52とそれぞれの負の屈折率のミラー56との間にゼロの光路長を与える。以下説明するように、キュビットアレイは個々のキュビットを変更及び読取る能力を伴ってもつれたキュビットを与えるのに効率的であると考えられている。
【００３５】
ここで説明するキュビットおよびキュビットアレイは種々の有用でスケール可能なアーキテクチャで構成されることができる。例えばキュビットアレイは（例えば図５に示されている）１次元のキュビットアレイの形態を取ることができる。代わりに図６に示されているように、キュビットアレイ40は２次元へ拡張されることができる。さらにキュビットアレイは３次元に拡張可能であると考えられ、３次元のキュビットアレイは３次元のみを含む、例えば図６が示されている頁の平面へ又はその平面から延在する原子及び負の屈折率のレンズを有する次元を含む図６に関する方法と類似の方法で構成される。原子およびレンズの設定及び読取りは３次元のキュビットアレイでは複雑である可能性があるが、３次元アレイが必要とされるならば、例えばエネルギを所望の位置へ誘導するためのミラーのアレイを伴って使用される光ファイバの適切なアレイ又はケーブルまたは自由な特別なレーザを提供することによって、これらの複雑性は設計の考察により克服されることができると考えられている。勿論、選択的に制御可能にエネルギ、例えば電磁エネルギを種々の位置へ誘導するように動作可能な他の構造が使用されることができる。
【００３６】
図７及び８を参照すると、例示的なキュビットアレイが示されており、例示的な制御回路、励起ソース44、原子状態読取り装置46、レンズ制御回路58の種々の特徴を概略的に示している。示されている概略的な実施形態では、励起信号、例えば個々のキュビットを制御可能に変更するために使用される信号は適切な励起ソース、例えばセシウム原子の励起に使用される例えば９．２ギガヘルツ（ＧＨｚ）信号を提供するソースにより発生されることができる。励起信号は９．２ＧＨｚ信号を使用して与えられたプログラミングアルゴリズムにより必要とされるように原子を変更するために与えられることができる。さらに、レンズ制御信号は適切な励起ソース、例えば制御可能にエネルギを選択された負の屈折率のレンズへ誘導するための光ファイバ又はミラーのアレイと共に１又は複数の適切なレーザソース、或いは電界ソース又は磁界ソースにより発生されることができる。ここで説明した負の屈折率のミラーの１つの有効な特性は、適切な電磁励起又は電磁制御の適用時に、負の屈折率のミラーが負の屈折率の材料特性と正の屈性率の材料特性の間で切り換えられることができる。図７で示されている装置は、また原子状態読取装置46を含んでおり、これは状態、例えばスピンアップ状態またはスピンダウン状態或いはスピンアップ状態とスピンダウン状態の幾つかの重ね合わせを決定することによってキュビット及びキュビット内の原子を読取るために使用されることができる。励起ソース44と原子状態読取装置46は別個の装置として概略的に示されているが、関連される機能は個々のキュビットを制御可能に変更し読取ることができる単一の装置で実施されることができることが認識されよう。
【００３７】
図７は励起ソースを使用するキュビットの初期化またはプログラミングを概略的に示している。さらに図７は「負の屈折率のオフ」状態を発生するために１以上の負の屈折率のレンズ54を活性化またはそうでなければ付勢し、したがって正の屈性率の材料状態へレンズ54を転移することを示している。
【００３８】
図８は負の屈折率のレンズがそれらの負の屈折率の材料状態に戻されるときの図７のキュビットアレイを示している。負の屈折率のレンズを付勢し、その後負の屈折率のレンズを減勢することによって、キュビットアレイ内の原子の状態をもつれさせることができる。図８は負のオフ機構が９．２ＧＨｚ変更信号の除去と共に除去されるキュビットアレイを示している。システムはその後隔離されているとして観察されることができる。この段階では、原子はそれらの状態を決定するために問合せられることができる。換言すると、前述のキュビット及びキュビットアレイを使用する量子計算装置は状態のセット中の原子を初期化し、量子の進化的計算のタイプを初期化するために負の屈折率のレンズを選択的に付勢および／または減勢し、結果を得るためのある量の時間後に再度原子に問い合わせることによって動作されることができる。
【００３９】
説明を簡単にする目的で、図９のフローチャートまたは機能図はここで説明されたキュビットおよび／またはキュビットアレイを使用する量子計算装置の１以上の特徴を表す一連のステップ又は機能ブロックを含んでいるが、幾つかのステップ又は機能ブロックは本発明の特徴により、ここで示され説明されているものとは異なる順序および／または他のステップ又は機能ブロックと同時に行われることができるので、ここで説明されている特徴はステップ又は機能ブロックの順序に限定されないことが理解され認識されよう。さらに、関連する動作の特徴を表す全ての示されたステップ又は機能ブロックが本発明の特徴による方法を実行するのに必要とされるわけではない。さらに関連する動作の特徴を表す付加的なステップ又は機能ブロックが本発明の技術的範囲を逸脱せずに付加されることができる。
【００４０】
図９を参照すると、例示的な量子化計算方法が機能ブロックに関して示されている。機能ブロック100では、キュビットアレイ内の幾つかの原子が適切な励起ソース、例えばセシウム原子の場合では９．２ＧＨｚの信号を発生できるソースを使用して励起される。前述したようにキュビットアレイ内の個々のキュビットは適切なプログラミングアルゴリズムにより必要とされるように変形されることができる。
【００４１】
機能ブロック105では、負の屈折率のレンズが付勢されるかそうでなければ例えば負の屈折率のレンズ及びミラーを制御可能に及び選択的に付勢または減勢するために位置されるレーザのアレイ及びミラーのような適切なレンズ制御ソースを使用して活性化される。
【００４２】
機能ブロック110では、負の屈折率のレンズは減勢されるか又はそうでなければ負の屈折率の材料特性に戻され、それによってキュビットアレイ内のキュビットの状態をもつれさせる。機能ブロック115では、キュビットアレイ内のキュビット又は原子は調査され、またはそうでなければ現在の状態、例えばスピンアップ状態、スピンダウン状態又はスピンアップ状態とスピンダウン状態の幾つかの重ね合わせを決定するために問い合わせられる。
【００４３】
さらに簡単に述べると、ここで説明されているキュビットアレイの動作は、例えば予め定められたプログラミングアルゴリズムにしたがって状態のセット内のキュビットアレイ内に原子を配置し、量子進化的計算のタイプを開始するために負の屈折率のレンズの選択的な付勢を使用し、結果を得るためのある量の時間後にキュビットアレイ内の原子を調査するか問い合わせることを含んでいる。
【００４４】
本発明をある好ましい１又は複数の実施形態に関して示し説明したが、同様の変化及び変形がこの明細書及び添付図面を読み理解すれば当業者により行われることが明白である。特に前述の要素（コンポーネント、アセンブリ、装置、組成等）により行われる種々の機能に関して、このような要素を説明するために使用される（「手段」の参照を含む）用語は特に指示がなければ、本発明のここで示されている例示的な１または複数の実施形態の機能を行う説明した構造に対して構造的に等価でなくても、説明された要素の特定された機能（即ち機能的に等価）を行う任意の要素に対応することを意図している。さらに本発明の特別な特徴を１以上の幾つかの示された実施形態に関して説明したが、このような特徴は任意の与えられた又は特別な応用で所望であり有効であるように他の実施形態の１以上の他の特徴と組み合わせられることができる。
【図１】
2010522939.tif 000003
【図２】
2010522939.tif 000004
【図３】
2010522939.tif 000005
【図４】
2010522939.tif 000006
【図５】
2010522939.tif 000007
【図６】
2010522939.tif 000008
【図７】
2010522939.tif 000009
【図８】
2010522939.tif 000010
【図９】
2010522939.tif 000011
【国際調査報告】
2010522939.tif 000012
2010522939.tif 000013